(57)【要約】【課題】測定結果を記憶又は表示する機能を備えた自動分析装置において、自動分析装置内でホストコンピュータに測定結果を送信したことを分かるようにしてオペレータに情報提供できるようにすることを目的とする。【解決手段】ホストコンピュータに送信したことを、色・記号・文字によって識別する機能を備え、自動分析装置内ではホストコンピュータに測定結果が送信したことをＣＲＴ等の表示媒体に表示し識別できるようにソフトウェアにてプログラムすることによって実現する。【選択図】  図３
2004294134.tif 000002
【特許請求の範囲】
【請求項１】
生体サンプルの分析を行う複数の自動分析装置と、
該複数の自動分析装置から送信される前記生体サンプルの分析結果を受信し、受信した該分析結果を処理するホストコンピュータと、を備えた自動分析システムにおいて、
前記自動分析装置は、前記ホストコンピュータに送信した分析結果を記憶する記憶部を備え、かつ該送信結果を一覧表示する表示画面を備えたことを特徴とする自動分析システム。
【請求項２】
請求項１記載の自動分析システムにおいて、
前記分析結果を前記ホストコンピュータに送信した時に、送信済であることを前記一覧表示された個々のデータに表示する表示機能を備えたことを特徴とする自動分析システム。
【請求項３】
請求項２記載の自動分析システムにおいて、
前記表示機能は前記ホストコンピュータに送信したことを、表示色を変えて表示する機能であることを特徴とする自動分析システム。
【請求項４】
請求項２記載の自動分析システムにおいて、
前記表示機能は前記ホストコンピュータに送信したことを、記号・文字によって表示する機能であることを特徴とする自動分析システム。
【請求項５】
上記請求項３または４記載の自動分析システムにおいて、
前記自動分析装置から前記ホストコンピュータに分析結果を送信したオペレータを色または記号・文字により識別可能なように表示する機能を備えたことを特徴とする自動分析システム。
【請求項６】
請求項１〜５のいずれかの自動分析システムにおいて、
前記表示画面上で、前記ホストコンピュータに送信したいデータを指定することにより、該ホストコンピュータへの分析結果の送信が可能な機能を備えたことを特徴とする自動分析システム。
【請求項７】
生体サンプルの分析を行う複数の自動分析装置と、
該複数の自動分析装置から送信される前記生体サンプルの分析結果を受信し、受信した該分析結果を処理するホストコンピュータと、を備えた自動分析システムにおける自動分析装置において、
前記自動分析装置は、前記ホストコンピュータに送信した分析結果を記憶する記憶部を備え、かつ該送信結果を一覧表示する表示画面を備えたことを特徴とする自動分析装置。
【発明の詳細な説明】
【０００１】
【発明の属する技術分野】
本発明は血液，尿等の生体サンプルの定量・定性分析を行う自動分析装置に係り、特に自動分析装置での分析結果をホストコンピュータに送信し該ホストコンピュータで分析結果を処理する自動分析システム及びそれに用いる自動分析装置に関する。
【０００２】
【従来の技術】
血液，尿等の生体試料の定性・定量分析を効率化するため、試料をセットすると分析を自動的に実行する自動分析装置が検査センター、大病院を中心に普及している。そのような検査センター、大病院では分析を効率良く行うため、複数の自動分析装置を使用し、それらの自動分析装置からの分析結果を集めて解析するための上位のコンピュータ（ホストコンピュータ）が接続されるのが一般的である。
【０００３】
すなわち、患者ごとに複数の自動分析装置での分析結果を纏めてホストコンピュータで管理することにより、過去の測定データの照会等が容易になる。
【０００４】
この場合、各自動分析装置からの分析結果に関する情報は随時ホストコンピュータに送られる機能を備えているものがある。
【０００５】
このようなシステムの場合、自動分析装置とホストコンピュータ間の通信がうまくいかない場合、自動分析装置側の操作者は分析結果を既に送っていると認識していたにも係らず、ホストコンピュータ側にその情報が送られていないことがわかった場合、どの情報までが送信完了し、どの情報が送信できなかったのかを判別することが難しかった。そのため、オペレータが変わるとある測定結果をホストコンピュータに送ったかどうか分からなくなったり、常時送信後に後で一括送信することにより情報を二重送信等をしたりしてしまい時間・労力を無駄にしてしまうことがあった。
【０００６】
どのデータが送信済みであるかの一覧を表示する機能を備えた自動分析装置は従来は知られていない。特許文献１は、医用分析装置に関するものではないが、測定データを遠隔地に送信する際に、受信側から伝送確認信号が発信されることにより、データの送受信を確実に行うシステムが開示されている。
【０００７】
【特許文献１】
特開平７−２１４８６号公報
【０００８】
【発明が解決しようとする課題】
本発明は、測定結果をホストコンピュータに送ったかどうか分からなくなったり、常時送信後に後で一括送信することにより情報を二重送信等をしたりしてしまい時間・労力を無駄にすることが無い自動分析装置を用いたシステム及びそれに用いる自動分析装置を提供することを目的とする。
【０００９】
【課題を解決するための手段】
上記目的を解決するため、本発明においては、血液，尿等の生体成分の定性・定量分析を行う自動分析装置において、その測定結果をホストコンピュータに送信したことを画面上に一覧表示する機能を備えた自動分析システム及び、それに用いる自動分析装置が提供される。一覧表示することにより、どの分析結果がホストコンピュータに送信されたかを判断し易くなる。
【００１０】
好ましくは送信済みの分析結果は色を変えたり、記号等を付加して未送信のものと識別できるようにすることでオペレータの使い勝手が向上する。
【００１１】
【発明の実施の形態】
本発明の対象の自動分析装置は装置を制御するコンピュータの記憶媒体（ハードディスク等の磁気記録媒体あるいは電子メモリ等）に分析結果を記憶できるようになっている。測定結果を記憶媒体からＣａｔｈｏｄｅ  Ｒａｙ  Ｔｕｂｅ（以下ＣＲＴと称す）等の表示媒体に表示することで、オペレータに知らせたり、さらに測定結果をホストコンピュータに送信できるようにソフトウェアにて行っている。
【００１２】
従来の自動分析装置では、分析結果がホストコンピュータに送信されたかどうかをＣＲＴ上で確認する手段がなかった。これはホストコンピュータと自動分析装置間の通信に異常が発生した場合に再送信するケースを想定していなかったものと思われる。本発明では、送信結果を一覧にしてＣＲＴ上に表示することにより、オペレータが再送信する場合にも、再送信すべき分析結果（データ）を迅速に特定することができる。
【００１３】
特に医用自動分析装置の分野では、緊急入院患者の血液検査のような至急分析を行わなければならない緊急検体が発生する場合がある。このような緊急検体の分析結果が通信異常等により自動分析装置からホストコンピュータに送信されなかった場合には、当該緊急入院患者への対応が遅れる等が懸念される。
【００１４】
そのような場合、ホストコンピュータに送信された分析結果が一覧表示されていれば、オペレータは送信すべき分析結果を即座に判断でき、対応の遅れ等の心配が減少する。この場合、一覧表示にそれぞれの分析結果の緊急度を示すような表示を付加すれば、オペレータの操作性は向上する。
【００１５】
また、装置内ではホストコンピュータに測定結果が送信したことをＣＲＴ等の表示媒体に識別表示（色を変える、記号等を付加する）できるようソフトウェアにてプログラムすることによって実現することができる。
【００１６】
以下に本発明の実施例を図面に基づいて説明する。図１は本発明の一実施例のブロック線図である。オペレータに情報を知らせるためのインターフェースであるＣＲＴ１，操作部を制御するキーボード付きパソコン２，測定結果及びあらゆる情報を印字することのできるプリンタ３が所謂操作部と称されるユニットである。また、分析部と称する測定機構部４では検体に試薬を混ぜ、反応過程から吸光度を演算し測定データとして得られた測定データは、操作部のパソコン２に順次格納される。また、操作部を制御するキーボード付きパソコン２には、測定結果をホストコンピュータ５に送れるように接続されている。自動分析装置システム構成を図２に示す。
【００１７】
このような装置において、測定された結果は図３に示したようにＣＲＴ１に表示され同時にキーボード付きパソコン２に記憶される。画面上で送信したいデータを選択し、例えばＳ．Ｎｏ．１  から５０検体を選び、ホストコンピュータに送る送信ボタンを押すと送信が開始される。送信終了後、送信された測定データ
（Ｓ．Ｎｏ．１から５０）はＣＲＴ１画面上で黄色または青色等で表示、または＊や送信等の記号や文字で表示される。５１番以降の測定データは色を変えずに表示、または記号や文字が表示されないことでホストコンピュータに送ったデータと送らなかったデータの区別をすることができる。また、そのデータを任意に選択したりオペレータ毎に識別可能なようにホスト色を定義することにより、誰がいつホストコンピュータにデータを送信したかが分かる。
【００１８】
【発明の効果】
本発明によれば、オペレータが必要としているホストコンピュータに送信した情報を自動分析装置内で確認することができ、ホストコンピュータやプリントアウト用紙上で測定結果を確認する手間を省けるという効果と、オペレータ毎に色または記号や文字で識別でき誰がいつ送信したかも分かり測定データの管理ができる。
【図面の簡単な説明】
【図１】本発明の一実施例の自動分析装置のブロック線図である。
【図２】本発明の一実施例の自動分析装置システム構成図である。
【図３】本発明の一実施例の自動分析装置の測定結果ＣＲＴ表示画面である。
【図４】本発明の一実施例の自動分析装置の測定結果ＣＲＴ表示画面である。
【図５】本発明の一実施例の自動分析装置の測定結果ＣＲＴ表示画面である。
【図６】本発明の一実施例の自動分析装置の測定結果ＣＲＴ表示画面である。
【符号の説明】
１…ＣＲＴ、２…キーボード付きパソコン、３…プリンタ、４…測定機構部、５…ホストコンピュータ。
【図１】
2004294134.tif 000003
【図２】
2004294134.tif 000004
【図３】
2004294134.tif 000005
【図４】
2004294134.tif 000006
【図５】
2004294134.tif 000007
【図６】
2004294134.tif 000008